(57)【要約】【課題】スーツの肩後部に「引きつり感」を覚えることがないようにすることのできる肩パッドを提供すること。【解決手段】肩パッド１０の肩線１１より後方となる後部パッド１０ａに、肩線１１に対して傾斜するとともに、互いに平行な平行線ステッチ１２を多数形成して、後部パッド１０ａに、各平行線ステッチ１２の方向とは異なった方向の力が加わったとき、当該パッド１０を構成する各素材の、各平行線ステッチ１２の間となっている部分が、前記力によって引き伸ばされ得るようにしたこと。【選択図】図２
0003176341.tif 000002
【実用新案登録請求の範囲】
【請求項１】
スーツの両肩先部に内蔵されて、当該スーツのシルエットを整えるための肩パッド１０であって、
この肩パッド１０の肩線１１より後方となる後部パッド１０ａに、前記肩線１１に対して傾斜するとともに、互いに平行な平行線ステッチ１２を多数形成して、
前記後部パッド１０ａに、前記各平行線ステッチ１２の方向とは異なった方向の力が加わったとき、当該パッド１０を構成する各素材の、前記各平行線ステッチ１２の間となっている部分が、前記力によって引き伸ばされ得るようにしたことを特徴とする肩パッド１０。
【請求項２】
前記各平行線ステッチ１２の端部を前記後部パッド１０ａの内側で終わらせるとともに、これら各平行線ステッチ１２の端部を交互に接続ステッチ１２ａによって接続したことを特徴とする請求項１に記載の肩パッド１０。
【考案の詳細な説明】
【技術分野】
【０００１】
本考案は、スーツの肩部に内蔵されて、当該スーツのシルエットを整えるための肩パッドに関するものである。
【背景技術】
【０００２】
肩パッドは、スーツの肩部に内蔵されて、当該スーツのシルエットを整えるために使用されるもので、スーツ縫製にとって重要な素材部品である。そして、この肩パッドは、布製品であるスーツと同様な布製品として形成することによって、衣服としての風合いも保てるようにしているものである。
【０００３】
勿論、この種の肩パッドは、従来より様々なものが提案されているもので、出願人も特許文献１等において、種々提案を行ってきている。
【先行技術文献】
【特許文献】
【０００４】
【特許文献１】特許第３０１２９７９号掲載公報
【考案の概要】
【考案が解決しようとする課題】
【０００５】
この種の肩パッドは、例えば図４にも示すような形状のものとして形成されるのが一般的なものであるが、その基本的構成は、内部に布や不織布からなる芯地や中綿を、表布及び裏布によって包み込んだ後、それらに糸によるステッチを掛けることによって一体化することである。これにより、この種の肩パッドは、素材である布や不織布が有している柔らかさを有した素片となっているのである。
【０００６】
ところが、本考案者の検討によると、図４に示したような従来の肩パッドでは、その素材である布や不織布が有している柔らかさが、十分生かされない場面があることが判ってきたのである。その場面とは、当該スーツを着用している人が腕を動かす場合である。
【０００７】
この種の肩パッドを採用したスーツは、これを着た人が腕を動かすと、肩の後部となっているスーツ生地が伸ばされようとするが、この部分には上記肩パッドがズレないようにしながら入れてあるから、この肩パッドもスーツ生地とともに伸びようとする。ところが、この肩パッドは、素材である布や不織布に柔らかさがあったとしても、図４にも示したように、全体を一体化するための糸によるステッチによって柔らかさが阻害されているから、スーツ生地とともには伸びないものとなっている。このため、スーツを着た人が腕を動かす場合に、肩の後部に「引きつり感」を覚えることになり、この種の肩パッドを使用したスーツの着心地を悪くするのである。
【０００８】
そこで、本考案者等は、この種の肩パッドについて、これを使用したスーツの肩後部に「引きつり感」を覚えることがないようにするにはどうしたらよいか、について種々検討を重ねてきた結果、本考案を完成したのである。
【０００９】
すなわち、本考案の目的とするところは、スーツの肩後部に「引きつり感」を覚えることがないようにすることのできる肩パッドを提供することにある。
【課題を解決するための手段】
【００１０】
以上の課題を解決するために、本考案の採った手段は、後述する最良形態の説明中で使用する符号を付して説明すると、
「スーツの両肩先部に内蔵されて、当該スーツのシルエットを整えるための肩パッド１０であって、
この肩パッド１０の肩線１１より後方となる後部パッド１０ａに、肩線１１に対して傾斜するとともに、互いに平行な平行線ステッチ１２を多数形成して、
後部パッド１０ａに、前記各平行線ステッチ１２の方向とは異なった方向の力が加わったとき、当該パッド１０を構成する各素材の、各平行線ステッチ１２の間となっている部分が、前記力によって引き伸ばされ得るようにしたことを特徴とする肩パッド１０」
である。
【００１１】
この肩パッド１０は、図１中の実線で示すように、仮想線で示すスーツの両肩先部に内蔵されて、当該スーツのシルエットを整えるためのものであるが、図２に示すように、その肩線１１の前後（図２の（ａ）では肩線１１の右と左）になる、前部パッド１０ｂと後部パッド１０ａとを肩線１１を中心に一体化したものである。なお、図２の（ａ）に示す肩パッド１０は、スーツの右肩部に位置するものであり、その図示上側部分に、スーツを着用する人の首部分が位置することになり、さらにこの首部分の図示上側に、図示した肩パッド１０と反転した形状のもう一方の肩パッド１０が、スーツの左肩部を形成すべく位置することになる。
【００１２】
そして、図２の（ａ）に示す肩パッド１０では、後部パッド１０ａに、肩線１１に対して傾斜するとともに、互いに平行な平行線ステッチ１２が多数形成してある。これらの平行線ステッチ１２は、図２の（ｂ）に示すように、当該肩パッド１０の中心に位置する芯地１４と、この芯地１４の表裏に配置される中綿１５と、当該肩パッド１０の表面を形成する表布１６及び素片１６ａとを一体化するために、糸による縫製により形成されたものである。なお、当該肩パッド１０を構成する素材である、芯地１４、中綿１５、表布１６、及び裏布１７は、布または不織布等によって、スーツの生地のような柔らかさをもったものとして構成してある。
【００１３】
また、本考案に係る肩パッド１０では、その前部パッド１０ｂについても、これに縫製されたランダムステッチ１３によって、当該肩パッド１０を構成する素材である、芯地１４、中綿１５、表布１６、及び裏布１７の一体化がなされている。このランダムステッチ１３は、平行線ステッチ１２のような「平行条件」がない文字通りランダム、例えばジグザグに縫製したり、図４に示す従来の肩パッド１０のような縦横に形成されたりしているものである。
【００１４】
以上の通り、本考案に係る肩パッド１０は、その肩線１１より後方となる後部パッド１０ａに、肩線１１に対して傾斜するとともに、互いに平行な平行線ステッチ１２を多数形成してあるから、当該肩パッド１０に各平行線ステッチ１２方向の力が加わったときには、当該肩パッド１０を構成する素材である、芯地１４、中綿１５、表布１６、及び裏布１７は伸びることはない。何故なら、当該肩パッド１０の構成素材である、芯地１４、中綿１５、表布１６、及び裏布１７は、各平行線ステッチ１２においてしっかりと縫製されているし、これら各平行線ステッチ１２間にある構成素材も、各平行線ステッチ１２方向の力に対して伸びることのないように各平行線ステッチ１２によってしっかりと固定されているからである。
【００１５】
これに対して、当該肩パッド１０に各平行線ステッチ１２方向とは異なる方向の力が加わったときには、当該肩パッド１０を構成して各平行線ステッチ１２間に位置する芯地１４、中綿１５、表布１６、及び裏布１７は、図３中の矢印にて示すように、伸びることになる。何故なら、当該肩パッド１０の構成素材は、各平行線ステッチ１２間において縫製されていないし、これら各平行線ステッチ１２間にある構成素材に加わる力は、各平行線ステッチ１２方向とは異なる方向、つまり各平行線ステッチ１２間を引き伸ばそうとする方向のものであるから、各平行線ステッチ１２間に位置する芯地１４、中綿１５、表布１６、及び裏布１７は伸びるのである。
【００１６】
換言すれば、当該肩パッド１０にあっては、後部パッド１０ａに、各平行線ステッチ１２の方向とは異なった方向の力が加わったとき、図３に示すように、当該パッド１０を構成する各素材の、前記各平行線ステッチ１２の間となっている部分が前記力によって引き伸ばされることになって、当該肩パッド１０の後部パッド１０ａ部分はスーツの生地と同じように伸びるのである。このため、当該肩パッド１０を使用したスーツにあっては、これを着用している人が腕を動かしても、「引きつり感」等の違和感は全く発生しないのである。
【００１７】
勿論、上記力が無くなれば、伸びていた後部パッド１０ａは、構成素材自身が有している復元力、及びスーツ側からの力の消失によって元の状態に戻り、スーツは図１に示した状態に戻るのである。
【００１８】
従って、本考案に係る肩パッド１０は、スーツの肩後部に「引きつり感」を覚えることがないようにすることができるものとなっているのである。
【００１９】
また、上記課題を解決するために、請求項２に係る考案の採った手段は、上記請求項１に記載の肩パッド１０について、
「各平行線ステッチ１２の端部を後部パッド１０ａの縁の内側で終わらせるとともに、これら各平行線ステッチ１２の端部を交互に接続ステッチ１２ａによって接続したこと」
である。
【００２０】
この請求項２の肩パッド１０では、図２の（ａ）及び図３にも示すように、各平行線ステッチ１２の端部は、後部パッド１０ａの縁の内側で終わらせてある。その理由は、次に述べる接続ステッチ１２ａが後部パッド１０ａから外にはみ出さないようにするためであり、部分的であれば、平行線ステッチ１２そのものは前部パッド１０ｂ内にあってもよい。そして、これら各平行線ステッチ１２の端部は、接続ステッチ１２ａによって交互に接続してある。各平行線ステッチ１２端部の、接続ステッチ１２ａによる交互の接続は、例えば、図３中の矢印にて示すように、各平行線ステッチ１２間に位置する芯地１４、中綿１５、表布１６、及び裏布１７に伸びるための余裕を後部パッド１０ａに交互に生じさせるためである。
【００２１】
各平行線ステッチ１２の端部で接続した接続ステッチ１２ａは、当該肩パッド１０に各平行線ステッチ１２方向とは異なる方向の力が加わったときに、各平行線ステッチ１２間に位置する芯地１４、中綿１５、表布１６、及び裏布１７を伸ばすことはしない。一方、接続ステッチ１２ａによって接続されていない各平行線ステッチ１２間に位置する芯地１４、中綿１５、表布１６、及び裏布１７は、当該肩パッド１０に各平行線ステッチ１２方向とは異なる方向の力が加わったときに、図３中の矢印にて示すように、伸びることになるのである。以上の結果、接続ステッチ１２ａが縫製されている後部パッド１０ａの部分は、当該肩パッド１０に各平行線ステッチ１２方向とは異なる方向の力が加わったときにも伸びないことになって、スーツを長年着た場合であっても、当該後部パッド１０ａ、従って肩パッド１０全体の型崩れを防止することになり、結果として、スーツの型崩れへの耐久性も高まることになる。
【００２２】
従って、この請求項２の肩パッド１０は、上記請求項１のそれと同様な機能を発揮する他、肩パッド１０を構成している伸縮性を有した後部パッド１０ａでの耐久性が高まっているのである。
【考案の効果】
【００２３】
以上、説明したとおり、本考案においては、
「スーツの両肩先部に内蔵されて、当該スーツのシルエットを整えるための肩パッド１０であって、
この肩パッド１０の肩線１１より後方となる後部パッド１０ａに、肩線１１に対して傾斜するとともに、互いに平行な平行線ステッチ１２を多数形成して、
後部パッド１０ａに、各平行線ステッチ１２の方向とは異なった方向の力が加わったとき、当該パッド１０を構成する各素材の、各平行線ステッチ１２の間となっている部分が、前記力によって引き伸ばされ得るようにしたこと」
に構成上の特徴があり、これにより、スーツの肩後部に「引きつり感」を覚えることがないようにすることのできる肩パッド１０を提供することができるのである。
【図面の簡単な説明】
【００２４】
【図１】本考案に係る肩パッド１０を使用したスーツの正面図である。
【図２】同肩パッド１０を示すもので、（ａ）は拡大平面図、（ｂ）は断面図である。
【図３】同肩パッド１０の後部パッド１０ａに各平行線ステッチ１２方向とは異なる方向の力が加わったときの平面図である。
【図４】従来技術を示す平面図である。
【考案を実施するための形態】
【００２５】
図１には、本考案に係る肩パッド１０を使用したスーツの正面が示してあり、このスーツの右肩部（図１では図示左側の肩部となる）において使用している肩パッド１０の拡大平面図を、図２の（ａ）に示している。勿論、この図１に示したスーツの左肩部には、図２の（ａ）に示したものを反転させた形状の肩パッド１０が使用されている。
【００２６】
また、この肩パッド１０は、図１中の実線で示したように、仮想線で示すスーツの両肩先部に内蔵されて、当該スーツのシルエットを整えるためのものであるが、図２の（ａ）に示したように、その肩線１１の前後（図２の（ａ）では肩線１１の右と左）になる、前部パッド１０ｂと後部パッド１０ａとを肩線１１を中心に一体化したものである。なお、図２の（ａ）に示した肩パッド１０は、上述したように、スーツの右肩部に位置するものであり、その図示上側部分に、スーツを着用する人の首が位置することになり、図示した肩パッド１０と反転した形状のもう一方の肩パッド１０がスーツの左肩部に位置することになる。
【００２７】
本実施形態の肩パッド１０は、図２の（ｂ）に示したように、中心に位置する芯地１４の両側に中綿１５を配置して、その全体をさらに表布１６及び裏布１７で包み込んだものであり、図２の（ａ）に示したように、平行線ステッチ１２及びランダムステッチ１３によって一体化したものである。肩パッド１０の構成素材である芯地１４、中綿１５、表布１６及び裏布１７は、自然繊維または合成繊維からなる布あるいは不織布であり、スーツの生地と同程度の伸縮性を有するものである。これに対して、平行線ステッチ１２及びランダムステッチ１３を構成する糸は、伸縮性が殆どない材料によって形成してある。
【００２８】
本実施形態の表布１６は、図２の（ａ）にも示したように、複数（本実施形態では前後２枚）の素片１６ａを肩線１１で縫い合わせで形成したもので、この肩線１１がスーツもしくはこれを着用する人の肩部の中心線上に位置するように、当該肩パッド１０はスーツ内に取り付けられる。なお、裏布１７についても同様な構成となっていて、この裏布１７側の肩線１１は、肩パッド１０として完成されたときに、表布１６側のそれと上下方向において同一位置となる。
【００２９】
なお、これらの表布１６及び裏布１７が縦糸と横糸からなる「布」である場合には、そのバイアス方向が肩線１１と略平行となるように配置される。そのようにする理由は、後述する後部パッド１０ａにこれを伸ばそうとする力が加わったときに、そこに表布１６及び裏布１７のバイアス方向が一致していれば、当該後部パッド１０ａの伸びがスムーズになされるからである。
【００３０】
さて、この肩パッド１０は、これを平面的に見た場合、図２の（ａ）にも示したように、肩線１１の前後（図２の（ａ）では左右方向）に前部パッド１０ｂ及び後部パッド１０ａが位置するものとなっている。この後部パッド１０ａには、図２の（ａ）及び図３に示したように、肩線１１に対して傾斜するとともに、互いに平行な平行線ステッチ１２が多数形成してある。
【００３１】
この平行線ステッチ１２が肩線１１に対して傾斜させてあるのは、もし、この平行線ステッチ１２が、伸縮されることが想定されていない肩線１１と平行になっていれば、各平行線ステッチ１２の間となっている部分が肩線１１によって伸びることはできないからである。また、各平行線ステッチ１２が互いに平行にしてあるのは、スーツを着用した人が腕を動かす際に、当該後部パッド１０ａに各平行線ステッチ１２の方向とは異なった方向の力が加わったとき、当該パッド１０を構成する各素材の、各平行線ステッチ１２の間となっている部分を、前記力によって引き伸ばされ得るようにするためである。
【００３２】
各平行線ステッチ１２の肩線１１に対する傾斜角度は、０°〜２０°程度、あるいは１６０°〜１８０°になっていなければ十分であるが、スーツの着用者が腕を動かす状況、つまり当該肩パッド１０に各平行線ステッチ１２方向とは異なる方向の力が加わる場合を考えると、３０°〜１２０°程度が最も好ましい。
【００３３】
この実施形態の肩パッド１０では、図２の（ａ）及び図３にも示したように、各平行線ステッチ１２の端部は、後部パッド１０ａの縁の内側で終わらせてある。その理由は、次に述べる接続ステッチ１２ａが後部パッド１０ａから外にはみ出さないようにするためであり、部分的であれば、平行線ステッチ１２そのものは前部パッド１０ｂ内にあってもよい。そして、これら各平行線ステッチ１２の端部は、接続ステッチ１２ａによって交互に接続してある。各平行線ステッチ１２端部の、接続ステッチ１２ａによる交互の接続は、例えば、図３中の矢印にて示したように、各平行線ステッチ１２間に位置する芯地１４、中綿１５、表布１６、及び裏布１７に伸びるための余裕を後部パッド１０ａに交互に生じさせるためである。
【００３４】
各平行線ステッチ１２の端部で接続した接続ステッチ１２ａは、当該肩パッド１０に各平行線ステッチ１２方向とは異なる方向の力が加わったときに、各平行線ステッチ１２間に位置する芯地１４、中綿１５、表布１６、及び裏布１７を伸ばすことはしない。一方、接続ステッチ１２ａによって接続されていない各平行線ステッチ１２間に位置する芯地１４、中綿１５、表布１６、及び裏布１７は、当該肩パッド１０に各平行線ステッチ１２方向とは異なる方向の力が加わったときに、図３中の矢印にて示すように、伸びることになるのである。以上の結果、接続ステッチ１２ａが縫製されている後部パッド１０ａの部分は、当該肩パッド１０に各平行線ステッチ１２方向とは異なる方向の力が加わったときにも伸びないことになって、スーツを長年着た場合であっても、当該後部パッド１０ａ、従って肩パッド１０全体の型崩れを防止することになり、結果として、スーツの型崩れへの耐久性も高まることになる。
【００３５】
これに対して、この肩パッド１０の肩線１１より前方となる前部パッド１０ｂには、多数のランダムステッチ１３が形成してある。これらのランダムステッチ１３は、前部パッド１０ｂを構成している芯地１４、中綿１５、表布１６、及び裏布１７を単に一体化するものであり、前部パッド１０ｂの柔らかさは確保しながら、その伸びることを阻止するものである。これによって、上述した接続ステッチ１２ａと同様に、肩パッド１０の耐久性を高めるのである。
【００３６】
なお、本実施形態の表布１６は、所定形状に裁断した複数の素片１６ａを縫着した一体物としたものであり、この縫着部分が上記肩線１１である。また、各素片１６ａに表布１６を分割しているのは、表布１６の外形が対象とするスーツのデザインによって変化するものであるから、これに簡単に応じられるようにするためである。これらのことは、裏布１７についても同様である。
【符号の説明】
【００３７】
１０    肩パッド
１０ａ  後部パッド
１０ｂ  前部パッド
１１    肩線
１２    平行線ステッチ
１２ａ  接続ステッチ
１３    ランダムステッチ
１４    芯地
１５    中綿
１６    表布
１６ａ  素片
１７    裏布
【図１】
0003176341.tif 000003
【図２】
0003176341.tif 000004
【図３】
0003176341.tif 000005
【図４】
0003176341.tif 000006